(57)【要約】【課題】鍵情報の管理と鍵情報の照合との機能を分離して処理負荷が１箇所に集中するのを防止しながらも、鍵情報の利用可能な日時の範囲に制限を加えることを可能にする。【解決手段】住戸の玄関ドアに電気錠３２が取り付けられ、玄関ドアの近傍に認証媒体３３から鍵情報を読み取る読取装置３４が配置される。操作入力装置１３の操作により、家事代行サービス業者が管理する予約サーバ４１に対して来訪の日時を予約すると、鍵管理サーバ４２の制限情報登録部４６において、家事代行サービス業者の保有する認証媒体３３の鍵情報と来訪の日時とを対応付けた制限情報が生成される。制限情報登録部４６は、住戸の鍵制御装置１１に制限情報を登録する。家事代行サービス業者が、住戸に来訪し読取装置３４に認証媒体３３を読み取らせると、鍵制御装置１１は、鍵情報が制限情報に一致し、かつ日時が制限情報の日時の範囲であるときに、電気錠３２を解錠する。【選択図】図１
2011102483.tif 000002
【特許請求の範囲】
【請求項１】
住戸の玄関ドアに取り付けられた電気錠と、鍵情報が登録された認証媒体から鍵情報を読み取る読取手段と、読取手段が認証媒体から鍵情報を読み取った日時を取得する時間管理手段と、読取手段が認証媒体から読み取った鍵情報をあらかじめ登録されている制限情報と照合することにより電気錠の開閉を制御する鍵制御手段と、鍵制御手段に制限情報を登録するために住戸の居住者が操作する予約入力手段と、鍵制御手段および前記予約入力手段と通信可能である管理サーバとを有し、制限情報は特定の鍵情報について鍵情報と日時の範囲とを対応付けた情報であって、予約入力手段は、住戸の居住者以外で住戸への入場が許可される被許可者と当該被許可者に入場を許可する日時の範囲と被許可者の入場を許可する住戸を特定するための住戸情報との入力が可能であり、管理サーバは、被許可者が保有する認証媒体の鍵情報と住戸情報とを被許可者に対応付けて登録する鍵情報記憶手段と、予約入力手段から入力された被許可者と日時の範囲とを住戸情報に対応付けて登録する予約情報記憶手段と、予約入力手段により住戸情報と被許可者と日時の範囲とが予約情報記憶手段に登録されたときに、住戸と被許可者とを鍵情報記憶手段と照合することにより得られる被許可者の鍵情報と予約入力手段により入力された日時の範囲とを制限情報として取得し当該制限情報を鍵制御手段に登録する制限情報登録手段とを備え、鍵制御手段は、読取手段が読み取った鍵情報が制限情報に含まれているときには、当該鍵情報について時間管理手段が取得した日時が制限情報の日時の範囲であるときにのみ電気錠を解錠することを特徴とする錠管理システム。
【請求項２】
集合住宅の共用玄関に配置したロビー端末と、共用玄関に設けられたオートロックドアとを有し、ロビー端末は前記鍵制御手段と通信可能であって、ロビー端末はロビー用の読取手段で認証媒体から読み取った鍵情報が、集合住宅の各住戸に設けた鍵制御手段に登録されている制限情報における鍵情報の論理和に含まれ、かつ認証媒体から鍵情報を読み取った日時が制限情報における日時の範囲の論理和に含まれているときに、オートロックドアを開扉する機能を有することを特徴とする請求項１記載の錠管理システム。
【請求項３】
前記時間管理手段は、スケジュールが登録されるスケジュール管理部を備え、スケジュール管理部は、登録されたスケジュールの作業内容にあらかじめ対応付けられている被許可者を選択するとともに、当該スケジュールの日時の範囲を当該被許可者に住戸への入場を許可する日時の範囲として抽出し、選択した被許可者および抽出した日時の範囲に住戸情報を付加して前記管理サーバに送信することにより、前記予約入力手段として機能することを特徴とする請求項１又は２記載の錠管理システム。
【請求項４】
前記管理サーバは、前記予約入力手段と通信可能であって前記予約情報記憶手段を備え被許可者が管理する予約サーバと、予約サーバおよび前記鍵制御手段と通信可能であって前記鍵情報記憶手段および前記制限情報登録手段を備え被許可者および住戸の居住者とは異なる管理者が管理する鍵管理サーバとからなることを特徴とする請求項１〜３のいずれか１項に記載の錠管理システム。
【発明の詳細な説明】
【技術分野】
【０００１】
本発明は、主として集合住宅における住戸の玄関ドアに取り付けられた電気錠の施解錠を管理する錠管理システムに関するものである。
【背景技術】
【０００２】
集合住宅において、共用玄関に設けたオートロックドアについて、安全性を担保しながらも来訪者による解錠を容易にするための構成として以下の構成を採用したものがある（たとえば、特許文献１参照）。
【０００３】
特許文献１に記載の構成では、住戸に設けた通信機器からセンターサーバに対して住戸識別情報とアドレス情報と有効情報とを送信し、これらの情報によりセンターサーバが生成した来訪者識別情報を来訪者が保有する携帯電話に送信するとともに、来訪者が携帯電話で受信した来訪者識別情報を用いてオートロックドアのロックを解錠することを可能にしている。また、有効情報には、来訪者識別情報の有効期間を規定する情報が含まれており、センターサーバでは、来訪者識別情報が有効期間内であるときに、当該来訪者識別情報によるオートロックドアのロックの解錠を可能にする。
【先行技術文献】
【特許文献】
【０００４】
【特許文献１】特開２００９−３０３０７号公報
【発明の概要】
【発明が解決しようとする課題】
【０００５】
特許文献１に記載の構成では、来訪者識別情報に有効期間を規定しているから、有効期間外であれば、来訪者識別情報を用いてもオートロックドアのロックを解錠することができない。すなわち、来訪者は、あらかじめ設定された有効期間にのみオートロックドアを通過することが可能になり、不審者の侵入を抑制することが可能になる。
【０００６】
しかしながら、特許文献１に記載の構成では、来訪者識別情報の発行と来訪者識別情報の照合とをともにセンターサーバで行っているものであるから、センターサーバの処理負荷が大きくなるという問題を有している。
【０００７】
本発明は上記事由に鑑みて為されたものであり、その目的は、鍵情報の管理と鍵情報の照合による電気錠の解錠との機能を分離して処理負荷が１箇所に集中するのを防止しながらも、鍵情報の利用可能な日時の範囲に制限を加えることを可能にした錠管理システムを提供することにある。
【課題を解決するための手段】
【０００８】
本発明では、上記目的を達成するために、住戸の玄関ドアに取り付けられた電気錠と、鍵情報が登録された認証媒体から鍵情報を読み取る読取手段と、読取手段が認証媒体から鍵情報を読み取った日時を取得する時間管理手段と、読取手段が認証媒体から読み取った鍵情報をあらかじめ登録されている制限情報と照合することにより電気錠の開閉を制御する鍵制御手段と、鍵制御手段に制限情報を登録するために住戸の居住者が操作する予約入力手段と、鍵制御手段および前記予約入力手段と通信可能である管理サーバとを有し、制限情報は特定の鍵情報について鍵情報と日時の範囲とを対応付けた情報であって、予約入力手段は、住戸の居住者以外で住戸への入場が許可される被許可者と当該被許可者に入場を許可する日時の範囲と被許可者の入場を許可する住戸を特定するための住戸情報との入力が可能であり、管理サーバは、被許可者が保有する認証媒体の鍵情報と住戸情報とを被許可者に対応付けて登録する鍵情報記憶手段と、予約入力手段から入力された被許可者と日時の範囲とを住戸情報に対応付けて登録する予約情報記憶手段と、予約入力手段により住戸情報と被許可者と日時の範囲とが予約情報記憶手段に登録されたときに、住戸と被許可者とを鍵情報記憶手段と照合することにより得られる被許可者の鍵情報と予約入力手段により入力された日時の範囲とを制限情報として取得し当該制限情報を鍵制御手段に登録する制限情報登録手段とを備え、鍵制御手段は、読取手段が読み取った鍵情報が制限情報に含まれているときには、当該鍵情報について時間管理手段が取得した日時が制限情報の日時の範囲であるときにのみ電気錠を解錠することを特徴とする。
【０００９】
また、集合住宅の共用玄関に配置したロビー端末と、共用玄関に設けられたオートロックドアとを有し、ロビー端末が鍵制御手段と通信可能であって、ロビー端末はロビー用の読取手段で認証媒体から読み取った鍵情報が、集合住宅の各住戸に設けた鍵制御手段に登録されている制限情報における鍵情報の論理和に含まれ、かつ認証媒体から鍵情報を読み取った日時が制限情報における日時の範囲の論理和に含まれているときに、オートロックドアを開扉する機能を有することが望ましい。
【００１０】
さらに、時間管理手段は、スケジュールが登録されるスケジュール管理部を備え、スケジュール管理部は、登録されたスケジュールの作業内容にあらかじめ対応付けられている被許可者を選択するとともに、当該スケジュールの日時の範囲を当該被許可者に住戸への入場を許可する日時の範囲として抽出し、選択した被許可者および抽出した日時の範囲に住戸情報を付加して前記管理サーバに送信することにより、前記予約入力手段として機能することが望ましい。
【００１１】
管理サーバは、予約入力手段と通信可能であって予約情報記憶手段を備え被許可者が管理する予約サーバと、予約サーバおよび鍵制御手段と通信可能であって鍵情報記憶手段および制限情報登録手段を備え被許可者および住戸の居住者とは異なる管理者が管理する鍵管理サーバとからなることが望ましい。
【発明の効果】
【００１２】
本発明の構成によれば、特定の鍵情報について鍵情報と日時の範囲とを対応付けた制限情報を規定してあり、住戸の居住者が予約入力手段を操作して制限情報を登録しておき、その後、認証媒体から読み取った鍵情報が制限情報に含まれているときに、その鍵情報を認証媒体から読み取った日時が制限情報の日時の範囲であるときにのみ鍵制御手段が電気錠を解錠するから、鍵情報の管理と鍵情報の照合による電気錠の解錠との機能を分離することが可能になり、処理負荷が１箇所に集中するのを防止することが可能になる。また、鍵情報を利用できる日時の範囲に制限を加えているから、認証媒体を複製したとしても、予約入力手段により設定された日時の範囲でなければ電気錠を解錠することができず、部外者が住戸に侵入するのを防止することができる。
【００１３】
さらに、被許可者が保有する認証媒体の鍵情報が登録されるとともに、住戸と被許可者と日時の範囲とが予約入力手段の操作により登録される管理サーバを用い、鍵情報の管理と日時の範囲との対応付ける制限情報の生成は管理サーバで行い、認証媒体と制限情報との照合は鍵制御手段が行うから、複数の住戸の鍵情報の発行や削除を管理サーバによって一括して行うことにより、鍵情報の安全性を高めることができるようにしながらも、認証媒体の照合については管理サーバとは別に行うから、管理サーバに処理負荷が集中するのを防止できる。
【００１４】
集合住宅の共用玄関において、認証媒体によるオートロックドアの開扉に際して、制限情報の論理和を用いる構成では、被許可者が複数の住戸に入場する場合に、いずれかの住戸用の認証媒体でオートロックドアを開扉させることができることになり、制限情報により安全性を担保しながらもオートロックドアの開扉が容易になる。
【００１５】
住戸の居住者のスケジュールに基づいて被許可者の来訪を許容する日時の範囲を自動的に抽出する構成では、家事代行サービスのように来訪がほぼ定期的である被許可者について、予約入力手段による来訪日時の指定作業の手間を軽減することができる。
【００１６】
管理サーバを予約サーバと鍵管理サーバとに分離する構成では、住戸の居住者は予約サーバを管理する被許可者と来訪日時の予定を取り決めることができ、被許可者とは別の第三者が鍵管理サーバにより住戸の鍵情報を一括して管理することで、鍵情報の安全性を確保することができる。
【図面の簡単な説明】
【００１７】
【図１】実施形態を示すブロック図である。
【図２】同上の使用例を示す概略構成図である。
【発明を実施するための形態】
【００１８】
以下に説明する実施形態では、本発明の技術思想を、集合住宅に適用する例を示すが、戸建て住宅に適用することも可能である。
【００１９】
図２に示すように、集合住宅２０は、ロビー端末２１を設置した共用玄関２２を有し、共用玄関２２にはオートロックドア２３が設けられているものとする。また、各住戸３０の玄関ドア３１には電気錠３２が取り付けられ、玄関ドア３１の近傍には電気錠３２の施解錠を行うのに必要な鍵情報を登録した認証媒体３３（図１参照）から鍵情報を読み取る読取装置（読取手段）３４が配置される。
【００２０】
認証媒体３３は、読取装置３４に非接触で鍵情報を受け渡すことが可能なＩＣカードを想定しているが、シリンダ錠などの鍵孔に挿入する鍵と同様の形状を有した認証媒体３３を用いて鍵孔内に設けた読取装置３４により鍵情報を読み取る構成や、移動体電話機を認証媒体３３として兼用する構成を採用することも可能である。
【００２１】
住戸３０ごとの認証媒体３３は、通常は、住戸３０の居住者のみが保有する。ただし、本実施形態では、居住者の留守中であっても、家事代行サービス業者のように所定の制約のもとで住戸３０に入場することが許可されている被許可者に対して、電気錠３２を解錠する鍵情報の使用を許可している。すなわち、認証媒体３３は、被許可者も保有可能としている。ただし、居住者と被許可者とでは鍵情報を異ならせてある。以下では、居住者と被許可者とが使用する鍵情報を異ならせることにより、被許可者に対して電気錠３２の解錠に制約を加える技術について説明する。なお、被許可者としては、家事代行サービス業者のような業者のほか、ベビーシッターなどを行う個人であってもよい。
【００２２】
各住戸３０には、上述した読取装置３４のほか、図１に示すように、電気錠３２の開閉を制御する鍵制御装置（鍵制御手段）１１が設けられる。鍵制御装置１１には、読取装置３４が認証媒体３３から読み取った鍵情報を照合するための鍵テーブル１４が設けられる。鍵テーブル１４には、居住者が保有する認証媒体３３の鍵情報が登録された常時領域１４ａと、特定の鍵情報と日時の範囲とを対応付けた制限情報を登録する一時領域１４ｂとが設けられている。
【００２３】
鍵制御装置１１は、読取装置３４が認証媒体３３から読み取った鍵情報が、鍵テーブル１４の常時領域１４ａに登録された鍵情報に一致する場合（つまり、住戸３０の居住者が保有する認証媒体３３の鍵情報である場合）には、いつでも電気錠３２を解錠する。
【００２４】
ところで、鍵制御装置１１は、読取装置３４が認証媒体３３から読み取った鍵情報が常時領域１４ａに登録された鍵情報に一致せず、一時領域１４ｂに登録された制限情報に含まれる鍵情報に一致する場合には、認証媒体３３から当該鍵情報を読み取った日時が制限情報における日時の範囲に含まれるか否かを判定する。
【００２５】
読取装置３４が認証媒体３３から読み取った鍵情報が、制限情報の条件を満足しているときには、鍵制御装置１１は、電気錠３２を解錠する。すなわち、認証媒体３３の鍵情報が制限情報の鍵情報と一致し、かつ当該鍵情報を読み取った日時が制限情報の日時の範囲内であるときには、電気錠３２を解錠する。
【００２６】
認証媒体３３から読取装置３４が鍵情報を読み取った日時を取得するために、各住戸３０には、現在の日時を計時する時計機能を備えた時間管理装置１２が設けられている。時間管理装置１２では、読取装置３４が認証媒体３３から鍵情報を読み取ったことをトリガとして、当該鍵情報を読み取った日時を時計機能から取得する。
【００２７】
ところで、鍵制御装置１１に設けた鍵テーブル１４の常時領域１４ａの鍵情報が変更されると住戸３０の居住者の認証媒体３３が使用できなくなるから、常時領域１４ａの内容は居住者の指示のみでは変更できないようにしてある。一方、鍵テーブル１４の一時領域１４ｂに登録される制限情報は、居住者の指示による変更が可能になっている。
【００２８】
制限情報の内容を指示するために、各住戸３０には居住者が操作する操作入力装置（予約入力手段）１３が設けられる。操作入力装置１３では、家事代行サービス業者のような特定の被許可者を指定する入力操作と、許可する時間帯を指定する入力操作とが可能になっている。被許可者と時間帯との指定により制限情報を生成する手順については後述する。
【００２９】
上述した鍵制御装置１１と時間管理装置１２と操作入力装置１３との機能は、住戸用に設けたインターホン親機１０により実現することを想定しているが、他の独立した装置を用いてもよい。
【００３０】
ところで、鍵制御装置１１の鍵テーブル１４における制限情報の内容を操作入力装置１３から入力するに際して、鍵制御装置１１において被許可者が保有する認証媒体３３の鍵情報と被許可者との対応付けがなされている場合には、操作入力装置１３から被許可者を入力すれば鍵情報を特定したことになり、入力作業が容易になる。ただし、鍵情報は唯一の存在でなければならないにもかかわらず、被許可者ごとに認証媒体３３の鍵情報を鍵制御装置１１が保有する構成では、鍵情報を一元的に管理することができないから、同じ鍵情報が重複して存在する可能性が生じる。
【００３１】
そこで、本実施形態では、鍵制御装置１１および操作入力装置１３（すなわち、本実施形態では、インターホン親機１０）と通信可能である管理サーバ４０を設けている。ここでは、鍵制御装置１１および操作入力装置１３を備えるインターホン親機と管理サーバ４０とを、インターネットのような広域網ＮＴを用いて構築したＶＰＮを介して通信可能に接続している。なお、インターホン親機１０には広域網ＮＴを利用するための通信用インターフェイスが設けられ、インターホン親機１０と広域網ＮＴとの間には、ルータやハブが介在するが、これらの構成は説明を省略する。
【００３２】
管理サーバ４０は、さらに、家事代行サービス業者のような被許可者が管理する予約サーバ４１と、予約サーバ４１とは別に設けられ集合住宅２０の管理者との契約に基づいて第三者が管理する鍵管理サーバ４２とにより構築される。鍵管理サーバ４２は、鍵情報について追加・変更・削除を行う機能を有している。また、鍵管理サーバ４２を管理する第三者は、鍵情報の追加・変更・削除とともに、認証媒体３３の追加・変更・削除を行う権限を有している。予約サーバ４１と鍵管理サーバ４２とは共通の管理者が管理することも可能であり、その場合、予約サーバ４１と鍵管理サーバ４２とを兼用させてもよい。
【００３３】
予約サーバ４１には、広域網ＮＴに接続された端末装置（インターホン親機１０、パーソナルコンピュータ、移動体電話機）を用いて家事代行サービスなどの依頼の予約を受け付ける予約処理部（予約情報記憶手段を含む）４３が設けられており、予約処理部４３では、予約可能であるときには予約の内容（依頼者の住所・氏名、サービスの内容、予約の日時・時間帯を含む）を記憶する。
【００３４】
ここに、依頼者の住所・氏名（住戸情報）は、被許可者と依頼者とがサービスの契約を行う際に既知となっている情報であるから、予約処理部４３では、通常は端末装置の識別情報を用いることにより、依頼者の住所・氏名を取得することができる。また、依頼者がパーソナルコンピュータや移動体電話機を用いて予約を行う場合には、パスワードのように依頼者を識別する情報を用いることにより、依頼者の住所・氏名を取得する。すなわち、操作入力装置１３を用いて、予約毎に依頼者の住所・氏名を入力しなくとも依頼書の住戸情報を簡単に入力することができる。
【００３５】
ここで、予約処理部４３は、予約のためのウェブページを端末装置に提示する機能を有していてもよい。この場合、ウェブページに表示された指示に従って操作入力装置１４で対話的に入力を行うことにより、予約のための所要の情報（住戸情報および日時の範囲）を入力することができる。つまり、ウエブページが表示された画面と操作入力装置１４とを予約入力手段として用いることになる。この場合、被許可者がウェブページを提供しているから、被許可者の指定は自動的に行ったことになる。
【００３６】
一方、鍵管理サーバ４２には、被許可者が保有している住戸ごとの認証媒体３３と鍵情報とを被許可者に対応付けて登録する表１のような内容の予約情報記憶テーブル（予約情報記憶手段）４４が設けられている。
【００３７】
【表１】
2011102483.tif 000003
【００３８】
予約情報記憶テーブル４４には、依頼者が予約した被許可者（表１では「業者」）、依頼者の住所・氏名に対応した住戸情報としての集合住宅２０における「部屋番号」、サービスの提供を受ける「予約日時」および「時間帯」（日時の範囲）が登録される。これらの情報は、予約サーバ４１の予約処理部４１から転送される。
【００３９】
また、鍵管理サーバ４２には、集合住宅２０における各住戸３０の部屋番号（住戸情報）ごとに、電気錠３２の施解錠に用いることができる有効な認証媒体３３の鍵情報を登録した表２のような鍵情報記憶テーブル（鍵情報記憶手段）４５が設けられている。
【００４０】
【表２】
2011102483.tif 000004
【００４１】
鍵情報記憶テーブル４５は認証媒体３３の発行時に登録され、鍵情報記憶テーブル４５を鍵管理サーバ４２において管理することにより鍵情報の偽造を防止している。また、鍵管理サーバ４２は、鍵情報の発行（登録）のほか、削除も可能であって、鍵情報が不正使用される可能性のある場合には、当該鍵情報を削除することによって、鍵情報の不正使用を防止することが可能になっている。
【００４２】
鍵管理サーバ４２には、予約情報記憶テーブル４４と鍵情報記憶テーブル４５とに登録されている情報を利用することによって、集合住宅２０の各住戸３０において認証媒体３３による電気錠３２の開閉を制限するための制限情報を生成する制限情報登録部（制限情報登録手段）４６も設けられている。
【００４３】
制限情報登録部４６では、予約サーバ４１にサービスの提供の予約がなされることによって、予約情報記憶テーブル４４に、住戸３０を特定する情報（部屋番号）と被許可者（業者）と日時の範囲（日時および時間帯）とが登録されたことをトリガとして、住戸３０と被許可者とをキーに用いて鍵情報記憶テーブル４５に照合する。
【００４４】
鍵情報記憶テーブル４５との照合によって、被許可者が保有する認証媒体３３の鍵情報が得られるから、制限情報登録部４６では、被許可者（業者）の保有している認証媒体３３の鍵情報と日時の範囲（日時および時間帯）とを制限情報として取得することができる。この制限情報は、制限情報登録部４６から広域網ＮＴを通して鍵制御装置１１に送信され、鍵制御装置１１に設けた鍵テーブル１４の一時領域１４ｂに登録される。一時領域１４ｂに登録される制限情報の一例を表３に示す。
【００４５】
【表３】
2011102483.tif 000005
【００４６】
上述したように、鍵制御装置１１は、読取装置３４が認証媒体３３から読み取った鍵情報が、一時領域１４ｂに登録された制限情報の鍵情報と一致する場合に、制限情報における日時の範囲であると、電気錠３２を解除するから、被許可者の認証媒体３３は、制限情報に設定された条件が成立するときにのみ電気錠３２の解錠に用いることが可能になる。
【００４７】
言い換えると、仮に認証媒体３３の複製が不正に作製されたとしても、制限情報に設定された条件を満たさない限りは、複製された認証媒体３３によって電気錠３２を解錠することはできないから、住戸３０の居住者が予約を行っていない日時の範囲において、当該認証媒体３３を用いて住戸３０に侵入されるのを防止することができる。
【００４８】
ところで、集合住宅２０の共用玄関２２には、図２に示すように、ロビー端末２１が配置されており、共用玄関２２と内部とを仕切るためにオートロックドア２３が設けられている。住戸３０への入場が許可される被許可者は、オートロックドア２３も開扉する必要があるから、住戸３０の玄関ドア３１の近傍と同様に、オートロックドア２３の近傍に配置されるロビー端末２１にも認証媒体３３の読取装置（図示せず）を設けてある。
【００４９】
ロビー端末２１には、オートロックドア２３を通過しなければならないすべての住戸３０に設定されている制限情報を集約した制限情報が登録される。この制限情報は、各住戸３０に設定した制限情報について、被許可者（業者）ごとに論理和の条件を求めたものである。たとえば、表１のように被許可者（業者）が「Ｄ社」のみであるとすれば、Ｄ社の予約日時と時間帯との論理和と、オートロックドア２３を通過しなければならないすべての住戸３０についてＤ社が保有する認証媒体３３の鍵情報の論理和とを対応付けた情報を制限情報に用いる。
【００５０】
したがって、ロビー端末２１では、被許可者が複数の住戸３０に続けて入場するような場合に、どの住戸３０の電気錠３２を解錠するための認証媒体３３を用いてもオートロックドア２３を開扉することが可能になる。すなわち、同じ被許可者が複数の住戸３０に順に入場してサービスを提供する場合に、どの住戸３０に入場するための認証媒体３３であってもオートロックドア２３を開扉することが可能になる。
【００５１】
上述の動作例では、住戸３０の居住者が操作入力装置１３などを用いることにより、予約サーバ４１への登録を行っているが、住戸３０の居住者のスケジュールが既知であるとすれば、スケジュールの内容から被許可者が入場可能な日時の範囲を自動的に絞り込むことが可能になる。
【００５２】
そこで、操作入力装置１３の操作によって、時間管理装置１２に設けたスケジュール管理部１２ａに住戸３０の居住者のスケジュールを登録可能にしてもよい。スケジュール管理部１２ａでは、住戸３０の居住者が入力したスケジュールに基づいて、スケジュールに設定された作業内容に対してあらかじめ対応付けられている被許可者を選択する。また、スケジュール管理部１２ａは、スケジュールに設定された日時の範囲を、被許可者による住戸３０への入場を許可する日時の範囲として自動的に抽出する。住戸情報としての部屋番号は、インターホン親機１０において既知であるから、スケジュール管理部１２ａにより、選択した被許可者（業者）と抽出した日時の範囲と住戸情報である部屋番号とを予約サーバ４１に送信する構成を採用してもよい。
【００５３】
いま、スケジュール管理部１２ａに、「ハウスキービング：１１月２４日；午後１時〜午後３時」というスケジュールが設定されている場合を想定する。スケジュール管理部１２ａには、スケジュールの作業内容に応じた被許可者を登録したデータテーブル（図示せず）が設けられており、スケジュールが設定されると作業内容に対応する被許可者がテーブルから選択される。すなわち、上述したスケジュールの作業内容は、「ハウスキービング」であるから、「ハウスキービング」に対応付けた家事代行サービス業者を被許可者として選択する。
【００５４】
また、上述した例では、スケジュールにおける日時の範囲は、１１月２４日の午後１時〜午後３時であるから、被許可者に住戸３０への入場を許可する日時の範囲を「１１／２４；１３：００〜１５：００」とする。すなわち、スケジュール管理部１２ａは、選択した家事代行サービス業者の予約サーバ４１に対して、スケジュールから抽出した日時の範囲と、既知の部屋番号とを自動的に送信する。言い換えると、操作入力装置１３を用いてスケジュール管理部１２ａにスケジュールを設定すると、予約サーバ４１に通知することが可能になるのであって、スケジュール管理部１２ａは操作入力装置１３とともに予約入力手段として機能することになる。
【符号の説明】
【００５５】
１１  鍵制御装置（鍵制御手段）
１２  時間管理装置（時間管理手段）
１２ａ  スケジュール管理部（予約入力手段）
１３  操作入力装置（予約入力手段）
２０  集合住宅
２１  ロビー端末
２２  共用玄関
２３  オートロックドア
３０  住戸
３１  玄関ドア
３２  電気錠
３３  認証媒体
３４  読取装置（読取手段）
４０  管理サーバ
４１  予約サーバ
４２  鍵管理サーバ
４３  予約処理部
４４  予約情報記憶テーブル（予約情報記憶手段）
４５  鍵情報記憶テーブル（鍵情報記憶手段）
４６  制限情報登録部（制限情報登録手段）
【図１】
2011102483.tif 000006
【図２】
2011102483.tif 000007